(57)【特許請求の範囲】
【請求項１】
移動側メンバーが固定側メンバーに収納された状態で、固定側メンバーに取付けられた保持部材によって、移動側メンバーの収納状態が保持されるスライドレールの収納時保持装置において、保持部材は、固定側メンバーの後端突壁の前側に位置して移動側メンバーを収納時に保持する脚部側部材と、脚部側部材の前側から固定側メンバーの内面に嵌合して脚部側部材と固定側メンバーを連結する連結用部材より構成されていることを特徴とするスライドレールの収納時保持装置。
【請求項２】
脚部側部材は、固定側メンバーの後端突壁の前面に当接し後方への移動を防止する取付基部と、取付基部の固定側メンバーの基板側で前方に突出する浮上り防止突部と、取付基部の後面側から固定側メンバーの上下折曲縁方向に突出して、固定側メンバーの上下折曲縁の後端面に当接する上下前移動防止突部と、取付基部よりに前方に突出して移動側メンバーの摺動面に対向して位置し、所定の弾性を有する上下保持脚部より構成され、連結用部材は、脚部側部材の前側から、固定側メンバーの上下折曲縁の内面に嵌合し、上下保持脚部の外側に位置する上下嵌合固定部と、上下嵌合固定部間に連設され、前記浮上り防止突部の外側に当接する連設固定部より構成されている事を特徴とする請求項１に記載のスライドレールの収納時保持装置。
【請求項３】
浮上り防止突部には外側方向に突出する嵌合突部が形成され、連設固定部には嵌合突部に嵌合する嵌合孔が形成されている事を特徴とする請求項２に記載のスライドレールの収納時保持装置。
【請求項４】
上下嵌合固定部は、摺動方向側の端部に上下保持脚部の外側に当接する上下脚体押さえ突部を有し、連結用部材の取付方向を上下に反転させることにより、上下脚体押さえ突部の上下保持脚部に対する当接位置を移動側メンバーの摺動方向で２段階に選択可能とした事を特徴とする請求項２、又は、請求項３に記載のスライドレールの収納時保持装置。
【発明の詳細な説明】
【技術分野】
【０００１】
本発明は、複写機の内部機器や家具等の抽斗を本体内に収納した時、床面の状態や本体の移動などにより、抽斗等が飛び出すのを防止するスライドレールの収納時保持装置に関するものである。
【背景技術】
【０００２】
従来、移動側メンバーが固定側メンバーに収納された状態で、固定側メンバーの後端部に設けられた保持部材によって、移動側メンバーの収納状態が保持されるスライドレールの収納時保持装置において、前記保持部材は、固定側メンバーの収納時ストッパーが嵌入する嵌入孔を有して、固定側メンバーに取付けられる連結基部と、移動側メンバーの摺動面の外方に位置して、連結基部側より前方に突出する係合脚部が合成樹脂材にて一体に形成され、係合脚部は弾性脚体と、弾性脚体の前端部に位置し、移動側メンバーが固定側メンバーに収納された状態で、移動側メンバーの摺動面の後端部に形成された係合凹部に係合する係合突起を有しているものがある。（例えば特許文献１参照。）
【０００３】
この場合、前記保持部材は、連結基部の嵌入孔に固定側メンバーの収納時ストッパーを嵌入させて固定側メンバーに取付ける構成であるから、移動側メンバーが勢いよく収納される状態が繰り返されると、収納時ストッパーに外側方向への負荷が繰り返し作用し、収納時ストッパーはやがて外側方向に変形し、これと同時に保持部材の取付状態も収納ストッパーと共に変移し、係合脚部が固定側メンバーの基板から離れる方向に持ち上がり、移動側メンバーの係合凹部と係合突起に位置ずれが生じ、移動側メンバーを保持しなくなる問題があった。
【０００４】
一方、合成樹脂材にて形成された係合脚部の保持力は、使用材料、外形寸法が同じであれば連結基部からの突出量と、移動側メンバーの摺動面の後端部に形成された係合凹部と係合凹部に係合する係合突起の形状によって決定される。
従って、スライドレールとして製品が完成した後は、スライドレールの使用目的、あるいは使用機器に応じて、移動側メンバーの保持力をかえることが出来なかった。
【０００５】
【特許文献１】特開２００３−４７５３３号公報（第４−５頁、図３、図５、図７）
【発明の開示】
【発明が解決しようとする課題】
【０００６】
本発明は、長期間、乱暴に使用されても、固定側メンバーに対して保持部材の取付状態が変移せず、移動側メンバーの収納時の保持機能が長期間損なわれる事がなく、又、スライドレールとして製品が完成した後、使用目的等に応じて簡単に保持力の強弱を変化させる事ができ、保持部材の汎用性を広げ、製造過程で保持力の調整を必要としないスライドレールの収納時保持装置を提供することを課題とする。
【課題を解決するための手段】
【０００７】
そこで、上記課題を解決する為、本発明が第１の手段として構成したところは、移動側メンバーが固定側メンバーに収納された状態で、固定側メンバーに取付けられた保持部材によって、移動側メンバーの収納状態が保持されるスライドレールの収納時保持装置において、保持部材は、固定側メンバーの後端突壁の前側に位置して移動側メンバーを収納時に保持する脚部側部材と、脚部側部材の前側から固定側メンバーの内面に嵌合して脚部側部材と固定側メンバーを連結する連結用部材より構成されているものである。
【０００８】
次に、本発明が第２の手段として構成したところは、第１の手段としての構成に加え、脚部側部材は、固定側メンバーの後端突壁の前面に当接し後方への移動を防止する取付基部と、取付基部の固定側メンバーの基板側で前方に突出する浮上り防止突部と、取付基部の後面側から固定側メンバーの上下折曲縁方向に突出して、固定側メンバーの上下折曲縁の後端面に当接する上下前移動防止突部と、取付基部よりに前方に突出して移動側メンバーの摺動面に対向して位置し、所定の弾性を有する上下保持脚部より構成され、連結用部材は、脚部側部材の前側から、固定側メンバーの上下折曲縁の内面に嵌合し、保持脚部の外側に位置する上下嵌合固定部と、上下嵌合固定部間に連設され、前記浮上り防止突部の外側に当接する連設固定部より構成されているものである。
【０００９】
次に、本発明が第３の手段として構成したところは、第２の手段としての構成に加え、浮上り防止突部には外側方向に突出する嵌合突部が形成され、連設固定部には嵌合突部に嵌合する嵌合孔が形成されているものである。
【００１０】
次に、本発明が第４の手段として構成したところは、第２の手段、又は、第３の手段としての構成に加え、上下嵌合固定部は、摺動方向側の端部に上下保持脚部の外側に当接する上下脚体押さえ突部を有し、連結用部材の取付方向を上下に反転させることにより、上下保脚体押え突部の上下保持脚部に対する当接位置を移動側メンバーの摺動方向で２段階に選択可能としたものである。
【発明の効果】
【００１１】
請求項１に記載の発明によると、保持部材が脚部側部材と連結用部材の２つの部材より構成され、脚部側部材が固定側メンバーの後端突壁の前側に位置しているので、後端突壁が外側に変形しても、脚部側部材は後端突壁の変形に影響されて変移する事がない。そして、連結用部材は、脚部側部材の前側から固定側メンバーの内面に嵌合して脚部側部材と固定側メンバーを連結しているので、脚部側部材の連結が容易で、不用意に固定側メンバーから脚部側部材が不用意に固定側メンバーから脱落することがない。
【００１２】
請求項２に記載の発明によると、前記効果に加え、脚部側部材の取付基部は固定側メンバーの後端突壁の前面に当接し、浮上り防止突部は、取付基部の固定側メンバーの基板側で前方に突出し、上下前移動防止突部は、取付基部の後面側から固定側メンバーの上下折曲縁方向に突出して、固定側メンバーの上下折曲縁の後端面に当接しているので、脚部側部材は移動側メンバーの摺動方向に移動することは一切なく、連結用部材は上下嵌合固定部が上下保持脚部の外側に位置して、固定側メンバーの上下折曲縁の内面に嵌合し、上下嵌合固定部間に連設された連設固定部は脚部側部材の浮上り防止突部の外側に当接しているので、連結用部材によって、脚部側部材は固定側メンバーから浮上る事がなく、移動側メンバーの摺動面に対する上下保持脚部の位置ずれが生じることがなく、かつ、長期間にわたり使用されても中間メンバーおよび移動側メンバーの収納時の保持機能が損なわれる事がない。
【００１３】
請求項３に記載の発明によると、前記効果に加え、連結用部材を固定側メンバーに取付けた状態で、浮上り防止突部の嵌合突部と連設固定部の嵌合孔が嵌合するので、連結用部材は不用意に前方に移動することがなく、安定した保持力を得る事ができる。
【００１４】
請求項４に記載の発明によると、前記効果に加え、上下嵌合固定部の摺動方向の端部に上下脚体押さえ突部を設けているので、連結用部材の取付方向をかえることによって、上下保持脚部の保持力を２段階で選択する事ができる。
【発明を実施するための最良の形態】
【００１５】
移動側メンバーが固定側メンバーに収納された状態で、固定側メンバーに取付けられた保持部材によって、移動側メンバーの収納状態が保持されるスライドレールの収納時保持装置において、保持部材は、固定側メンバーの後端突壁の前側に位置して移動側メンバーを収納時に保持する脚部側部材と、脚部側部材の前側から固定側メンバーの内面に嵌合して脚部側部材と固定側メンバーを連結する連結用部材より構成され、脚部側部材は、固定側メンバーの後端突壁の前面に当接し後方への移動を防止する取付基部と、取付基部の固定側メンバーの基板側より前方に突出する浮上り防止突部と、取付基部の後面側から固定側メンバーの上下折曲縁方向に突出して、固定側メンバーの上下折曲縁の後端面に当接する上下前移動防止突部と、取付基部よりに前方に突出して移動側メンバーの摺動面に対向して位置し、所定の弾性を有する保持脚部より構成され、連結用部材は、脚部側部材の前側から、固定側メンバーの上下折曲縁の内面に嵌合し、上下保持脚部の外側に位置する嵌合固定部と、嵌合固定部間に連設され前記浮上り防止突部の外側に当接する連設固定部より構成され、浮上り防止突部には外側方向に突出する嵌合突部が形成され、連設固定部には嵌合突部に嵌合する嵌合孔が形成され、上下嵌合固定部は、摺動方向側の端部に上下保持脚部の外側に当接する脚体押さえ突部を有し、連結用部材の取付方向を反転させることにより、脚体押さえ突部の保持脚部に対する当接位置を移動側メンバーの摺動方向で２段階に選択可能としたものである。
【実施例１】
【００１６】
以下、第１実施例を図面に基づいて説明する。
図１、図３において、符号１００はスライドレールを示し、スライドレール１００は、実施例では、固定側メンバー１と、固定側メンバー１に摺動自在に保持された中間メンバー２と、ボールリテーナー４に回転自在に保持されたボール４４・・・を介して、中間メンバー２に摺動自在に保持された移動側メンバー３より構成され、固定側メンバー１の後端部内面には保持部材９が取付けられている。
【００１７】
すなわち、固定側メンバー１は、基板１０と、上下折曲縁１１、１１よりチャンネル型に形成され、固定側メンバー１のほぼ半分程度の長さとなした合成樹脂製のリテーナー１２・・・に回転自在に保持され、かつ、上下折曲縁１１、１１内面と中間メンバー２の外面間に位置する複数個のボール１３・・・を介して、中間メンバー２を摺動自在に保持している。
そして、固定側メンバー１の基板１０の後端部には、後記する保持部材９が取付られる後端突壁１５（図２、図５）が形成され、基板１０の前端部には前記リテーナー１２の引出し方向への移動範囲を規制するリテーナー前ストッパー（図示せず。）が形成されている。
【００１８】
中間メンバー２は、固定側メンバー１とほぼ同長で、基板２０と上下折曲縁２１、２１より固定側メンバー１と同方向の略チャンネル型に形成され、上下折曲縁２１、２１の外面に、摺動方向に渡って前記ボール１３・・・が転動する外面側ボール摺動溝２２、２２を有し、上下折曲縁２１、２１の内面に、摺動方向に渡ってボール４４・・・が転動するボール摺動溝２３、２３を有している。
そして、上下折曲縁２１、２１の後端縁には、中間メンバー２の最大引出し時に、前端部が前記固定側メンバー１のリテーナー前ストッパーに当接したリテーナー１２の後端に当接して、中間メンバー２の最大引出し量を規制し、収納状態で固定側メンバー１に取付けられた保持部材９の一部に後端部が当接するリテーナー後ストッパー２５、２５（図２）が形成され、基板２０の後端に、移動側メンバー３が最大収納状態となった時、移動側メンバー３の後端部に形成された移動側メンバー後端ストッパー３４が当接する後端ストッパー２６が形成され、基板２０の前端部に移動側メンバー３が最大引出し位置に達した状態で、ボールリテーナー４の先端部が当接して停止するボールリテーナー前端ストッパー（図示せず。）が形成されている。
【００１９】
移動側メンバー３は、固定側メンバー１とほぼ同長に形成され、ボールリテーナー４に保持されたボール４４・・・を介して中間メンバー２に摺動自在に保持される大きさで、金属製の細条板の短手両端部を内向き円弧状に折り曲げて形成された、外面長手方向にボール４４・・の摺動面３３、３３を有する上下折曲縁３１、３１と基板３０より断面略Ｃ字型に形成されている。
そして、中間メンバー２に対し、引出し方向に摺動し、最大引出し位置に達した状態で、移動側メンバー３の前記移動側メンバー後端ストッパー３４が、ボールリテーナー４の後端に当接して停止し、ボールリテーナー４の前端が中間メンバー２のボールリテーナー前端ストッパーに当接して停止する。
符号３５は後記する保持部材９に対応して、摺動面３３の後端部に形成された係合凸部を示している。
【００２０】
ボールリテーナー４は、帯状金属板にて中間メンバー２の半分程度の長さとし、前記中間メンバー２と移動側メンバー３の基板２０、３０間に挿入可能な大きさのコ字形基板４０と、コ字形基板４０の上下両端部よりＬ字形に突出し、中間メンバー２と移動側メンバー３の各上下折曲縁２１、２１、３１、３１間に位置する上下突出縁４１、４１より断面略コ字形に形成され、上下突出縁４１、４１の摺動方向に複数個のボール４４・・・を回転自在に保持している。
【００２１】
保持部材９（図４）は、固定側メンバー１の後端突壁１５の前側に位置して移動側メンバー３を収納時に、移動側メンバー３を保持する合成樹脂材からなる脚部側部材７と、脚部側部材７の前側から固定側メンバー１の内面に嵌合して脚部側部材７と固定側メンバー１を連結する合成樹脂材からなる連結用部材８より構成されている。
【００２２】
脚部側部材７は、固定側メンバー１の後端突壁１５の前面に当接し後方への移動を防止する取付基部７１と、取付基部７１の固定側メンバー１の基板１０側より前方に突出する浮上り防止突部７２と、取付基部７１の上下端部の後面側から後端突壁１５の上下端部と固定側メンバー１の上下折曲縁１１、１１の上下端部間に嵌入される上下嵌入突部７０、７０と、上下嵌入突部７０、７０の後端から上下方向に突出し固定側メンバー１の上下折曲縁１１、１１の後端面に当接する上下前移動防止突部７３、７３と、取付基部７１の前面側より上下方向に所定間隔を有して、前方に突出して移動側メンバー３の摺動面３３、３３に対向して位置し、所定の弾性を有する上下保持脚部７４、７４より構成されている。
【００２３】
そして、浮上り防止突部７２には外側方向に突出する嵌合突部７２１が形成され、上下保持脚部７４、７４には、移動側メンバー３の摺動面３３の外側に近接し、移動側メンバー３の収納状態で、係合凸部３５、３５の前側に弾性的に係止する係止突部７４１、７４１が摺動方向の中央部やや先端側に下方に突出して形成され、係止突部７４１、７４１が係合凸部３５、３５に弾性的に係止した状態で、中間メンバー２のボール摺動溝２３、２３に弾性的に圧接する圧接突部７４２、７４２が先端部で上、下方に突出して形成されている。
【００２４】
連結用部材８は、脚部側部材７の前側から、固定側メンバー１の上下折曲縁１１、１１の内面に嵌合し、上下保持脚部７４、７４の外側（上保持脚部７４の上側と下保持脚部７４の下側）に位置する上下嵌合固定部８１、８１と、固定側メンバー１の基板１０側に前記浮上り防止突部７２が嵌入する嵌入凹部８０を有し、上下嵌合固定部８１、８１間に連設された連設固定部８２より構成され、嵌入凹部８０には嵌合突部７２１に嵌合する嵌合孔８２１が形成され、上下嵌合固定部８１、８１は、摺動方向側の端部に上下保持脚部７４、７４の外側（上保持脚部７４の上側と下保持脚部７４の下側）に当接する上下脚体押さえ突部８１１、８１１を有して形成されている。
上下脚体押さえ突部８１１、８１１は、上下嵌合固定部８１、８１の摺動方向側の端部に形成されているので、図２および図５に示す状態では上下脚体押さえ突部８１１、８１１は上下保持脚部７４、７４の取付基部７１側に当接するが、連結用部材８の取付方向を上下に反転させると、連結用部材８の略幅寸法だけ、上下保持脚部７４、７４の前方（先端側）に当接する。
すなわち、連結用部材８の取付方向を反転させることにより、上下脚体押さえ突部８１１、８１１の保持脚部７４、７４に対する当接位置を移動側メンバー３の摺動方向で２段階で選択可能であり、係止突部７４１、７４１と係合凸部３５、３５の弾性的な係止力及び圧接突部７４２、７４２の中間メンバー２のボール摺動溝２３、２３対する弾性的な圧接力が選択可能となっている。
【００２５】
本発明は上記の如く構成され、中間メンバー２、移動側メンバー３を前方途中まで引き出した状態で、保持部材９が固定側メンバー１の後端部に取付けられる。
すなわち、脚部側部材７の取付基部７１の後面を固定側メンバー１の後端突壁１５の前面に当接させ、後端突壁１５の上下端部と固定側メンバー１の上下折曲縁１１、１１の先端部間に上下嵌入突部７０、７０を位置させ、同時に、上下前移動防止突部７３、７３を固定側メンバー１の上下折曲縁１１、１１の後端面に当接させながら、固定側メンバー１の基板１０側に押しやり、固定側メンバー１の後端に脚部側部材７を取付ける。
この状態で、脚部側部材７は、取付基部７１、上下嵌入突部７０、７０、上下前移動防止突部７３、７３、後端突壁１５によって、上下および移動側メンバー３の摺動方向に移動する事はない。
【００２６】
次に、連結用部材８の長手方向を移動側メンバー３の摺動方向に沿わせて、固定側メンバー１の基板１０に連設固定部８２を接触させた状態から、長手方向が移動側メンバー３の摺動方向と交差するよう時計周りあるいは反時計周りに９０度回転させる。
すなわち、連結用部材８を回転させる方向によって、連結用部材８を取付けた状態で嵌合固定部８１、８１の脚体押さえ突部８１１、８１１が、脚部側部材７の取付基部７１と接触する個所に位置するか、あるいは、連結用部材８の略幅寸法だけ、前方に離れた個所に位置するかが決定される。
保持脚部７４、７４が移動側メンバー３を収納状態で保持する保持力は、脚体押さえ突部８１１、８１１と係止突部７４１、７４１との距離が近い程強くなる。
図２では、脚体押さえ突部８１１、８１１の取付状態は、保持脚部７４、７４の取付基部７１側に当接する位置となっている。一方、連結用部材８を上下に反転させて取付け、脚体押さえ突部８１１、８１１を取付基部７１から前方に離れた位置とすれば、保持脚体７４、７４の弾性力はより強くなる。
すなわち、連結用部材８の取付方向をかえることによって、上下保持脚部７４、７４の保持力を２段階で選択することができる。
【００２７】
そして、嵌合固定部８１、８１を固定側メンバー１の上下折曲縁１１、１１の内面に嵌合させた状態で、中間メンバー２を収納していくと、リテーナー後ストッパー２５、２５が嵌合固定部８１、８１の前面に当接し、連結用部材８を浮上り防止突部７２の取付基部７１側に押しやり、の嵌入凹部８０に浮上り防止突部７２が嵌入すると共に、嵌合突部７２１が嵌合孔８２１に嵌合し、連結用部材８は固定側メンバー１と脚部側部材７を連結する。この状態で、上下保持脚部７４、７４の先端側部分と圧接突部７４２、７４２は、中間メンバー２のボール摺動溝２３、２３の後端の内面側に位置し、係止突部７４１、７４１はボール摺動溝２３、２３の後端の外側（移動側レール３が収納される空間側）に位置している。
【００２８】
次に、移動側メンバー３を収納方向に移動させると、移動側メンバー３は中間メンバー２に収納されてゆき、移動側メンバー３の摺動面３３の係合凸部３５、３５が係止突部７４１、７４１を外側（図２で上下方向）に押しやりながら、係止突部７４１、７４１の頂部をやや通過した時、移動側メンバー３の後端部に形成された移動側メンバー後端ストッパー３４が中間メンバー２の後端ストッパー２６に当接して移動側メンバー３は停止し、最も収納された状態となる。
この時、係止突部７４１、７４１は、移動側メンバー３の係合凸部３５、３５の頂部のやや前側（連結用部材８の反対側）に位置しているので、係合凸部３５、３５を保時脚部７４、７４の弾性によって挟持する。
よって、移動側メンバー３は収納状態が保持され、不用意に飛び出す事がない。
【００２９】
一方、係止突部７４１、７４１は係合凸部３５、３５によって、上下保持脚部７４、７４の弾性に抗して外側に（図２で上下方向）押しやられる事により、上下保持脚部７４、７４の先端に形成された圧接突部７４２、７４２は、中間メンバー２のボール摺動溝２３、２３に弾性的に圧接する事となり、中間メンバー２は移動側メンバー３と共に、固定側メンバー１に収納された状態で保持される事となる。（図２に示す状態）
【図面の簡単な説明】
【００３０】
【図１】本発明を具備したスライドレールの斜視図
【図２】本発明の要部正面図
【図３】図１のＡ−Ａ線要部断面図
【図４】保持部材の斜視図
【図５】保持部材の取付要領を示す斜視図
【図６】図２のＢ−Ｂ線要部断面図
【符号の説明】
【００３１】
１              固定側メンバー
１１、１１      上下折曲縁
１００          スライドレール
２              中間メンバー
３              移動側メンバー
３３、３３      摺動面
３５            係合凸部
７              脚部側部材
７１            取付基部
７２            浮上り防止突部
７２１          嵌合突部
７３            前移動防止突部
７４、７４      上下保持脚部
８              連結用部材
８１、８１      上下嵌合固定部
８１１、８１１  上下脚体押さえ突部
８２            連設固定部
８２１          嵌合孔
９              保持部材
【図１】
0004523880.tif 000002
【図２】
0004523880.tif 000003
【図３】
0004523880.tif 000004
【図４】
0004523880.tif 000005
【図５】
0004523880.tif 000006
【図６】
0004523880.tif 000007